(57)【要約】      （修正有）【課題】水上スポーツ用具ボードに取り付けられる着脱可能なフィンは、素手での取り付け、取り外しが痛みを伴い、大変であるという問題があった。これはフィンを取り付けるためのキャビティとの勘合が強いうえに、フィン本体は薄く鋭利な形状であるためである。【解決手段】フィン全体を弾性変形可能な素材のカバーで覆うことにより、フィンの取り付け、取り外し作業を行う場合、素手でこのカバーを叩いても痛みを伴わずに比較的容易にフィンの操作ができる。【選択図】図１３
2019182387.tif 000002
【特許請求の範囲】
【請求項１】
水上スポーツ用具ボードに取り付けられる着脱可能なフィンに装着するフィンカバーであって、弾性変形可能な素材であり、内部にフィンが挿通可能な穴が形成され、水上スポーツ用具ボードに取り付けられたフィンを外す場合に、フィンに装着された状態でフィンの先端側を引っ張ることでフィンが穴の内部に食い込むフィンカバー。
【請求項２】
複数種類のフィンの形状に対応可能であり、片側に第一湾曲部を有し、反対側には第一湾曲部よりも小さい第二湾曲部を有し、二つの湾曲部を結ぶ第三湾曲部を有した波型の形状を有した偏平形状であり、第三湾曲部の反対側にフィンを挿入するための穴の開口を有し、フィンに装着した状態でフィン本体の外側に略２ｍｍの肉厚を有した軟質の塩化ビニールで成形された請求項１に記載のフィンカバー。
【発明の詳細な説明】
【技術分野】
【０００１】  本発明はフィンが取り付けられる水上スポーツ用具ボードに用いる着脱可能なフィンカバーに関する。
【背景技術】
【０００２】  サーフィンボードなどの水上スポーツ用品には、方向制御や安定性の確保の観点からフィンが取り付けられて使用される。【０００３】  このフィン２０は例えば図４に示すようにボード等の取り付け面に設けられたキャビティ３１、３２に取り付け部である嵌合部２１、２２が挿入されて嵌合する。このフィン２０の勘合部２１の先端側に形成された凹部２３は特許文献１の図７Ｄに示される凸部８０に係合するものである。また、嵌合部２２の先端側側面に形成されて溝２４は特許文献１の図７Ｃに示される弾性バイアス作用ロッド３０に設けられた突出部材３５に係合する。更にこのフィン２０をキャビティ３１、３２に嵌合させて後に所謂イモネジを植設して固定するためのものであり、このイモネジを植設することによりフィン２０を強固に固定することができる。【０００４】  また、特許文献２には上記フィン２０の嵌合部２１の構造を変更したものが示されている。このフィンではキャビティにおけるフィンの嵌合部に相当する突起部が収納されている穴にバネを設けて、このバネによりフィン２０を後方に付勢する構成を有している。フィンの取り付け部には前方へ掘削された溝  １２４、１３０が形成されており、この溝１２４、１３０が突起片であるドエル１１６、１１８に係合する。そして係合した場合に上記バネの付勢力により溝１２４、１３０の最奥部にドエル１１６、１１８が位置付けられ、フィンがキャビティから抜け落ちないように固定される。
【先行技術文献】
【特許文献】
【０００５】
【特許文献１】特表２０１５−５２１９７５号公報
【特許文献２】特表２０１２−２１３９２５号公報
【発明の開示】
【発明が解決しようとする課題】
【０００６】前記のようなフィンとキャビティの固定構造においては、特に特許文献１の構成においては、嵌合部２１、２２とキャビティ３１、３２とが極めて強く嵌合されているため、嵌合態からフィン２０を素手で叩いて取り付け、取り外しする作業が煩雑である。【０００７】  また、キャビティ３１、３２に対して嵌合部２１、２２を挿入した後に極めて強く嵌合されるように構成されているため、キャビティ３１、３２に対してフィン２０を挿入する際に大きな力が必要であり、素手でフィン２０を叩いて取り付け、取り外しをする作業が大変であるという問題点がある。【０００８】  上記のフィンを有する水上スポーツ用具のボードの保管、運搬にはサーフボード全体をカバーするケースにフィンを装着したままの水上スポーツ用具のボードを入れることが多い。ケースの素材はニット、ビニールなどで成形されている用具が多く、フィンと干渉することでケースが損傷するという問題点がある。【０００９】  以上の問題点を解決するための用具が必要とされている。
【課題を解決するための手段】
【００１０】    水上スポーツ用具ボードに取り付けられる着脱可能なフィンに装着するフィンカバーであって、弾性変形可能な素材であり、内部にフィンが挿通可能な穴が形成され、水上スポーツ用具ボードに取り付けられたフィンを外す場合に、フィンに装着された状態でフィンの先端側を引っ張ることでフィンが穴の内部に食い込むフィンカバー。【００１１】    複数種類のフィンの形状に対応可能であり、片側に第一湾曲部を有し、反対側には第一湾曲部よりも小さい第二湾曲部を有し、二つの湾曲部を結ぶ第三湾曲部を有した波型の形状を有した偏平形状であり、第三湾曲部の反対側にフィンを挿入するための穴の開口を有し、フィンに装着した状態でフィン本体の外側に略２ｍｍの肉厚を有した軟質の塩化ビニールで成形されたフィンカバー。【００１２】  本発明は上記のような水上スポーツ用具のフィンの取り付け、取り外しの操作に関する問題点に鑑みなされたもので、その目的は水上スポーツ用具のフィンを取り付け、取り外しする作業を行う場合、フィン本体にカバーを装着することにより、このカバーを素手で叩いても痛みを伴わずに簡易に取付け、取り外しができるカバーであり、女性や子供でも比較的容易に水上スポーツ用具のフィンを操作することが可能とするフィンカバーを提供することである。
【発明の効果】
【００１３】  本発明に係るフィンカバーはフィンを取り付ける水上スポーツ用具のボードへのフィンの取り付け、取り外しにおいて、素手で安全に、かつ容易に作業ができる。また、女性や子供でも傷みを伴わず作業ができる。【００１４】  本発明に係るフィンカバーはフィンを取り付ける水上スポーツ用具のボードの運搬、保管において外部からの異物の衝突があった場合に衝突物、及びフィンを保護し衝撃を緩和することができる。また、上記ボードをケースに入れて運搬、保管する際にフィンとケースの間に塩化ビニールの軟らかいカバーにより摩擦が緩和されケース、及びフィンが傷みにくい。
【図面の簡単な説明】
【００１４】
【図１】本発明に係るフィンカバーの形態を示す斜視図
【図２】本発明に係るフィンカバーの形態を示す斜視図
【図３】本発明に係るフィンカバーの断面図
【図４】本発明に係るフィンカバーを使用しない場合の使用状態を示す斜視図
【図５】本発明に係るフィンカバーを使用しない場合の使用状態を示す斜視図
【図６】本発明に係るフィンカバーを使用しない場合の使用状態を示す斜視図
【図７】本発明に係るフィンカバーを使用しない場合の使用状態を示す斜視図
【図８】本発明に係るフィンカバーを使用しない場合の使用状態を示す斜視図
【図９】本発明に係るフィンカバーの第一の実施形態の使用状態を示す斜視図
【図１０】本発明に係るフィンカバーの第一の実施形態の使用状態を示す斜視図
【図１１】本発明に係るフィンカバーの第一の実施形態の使用状態を示す斜視図
【図１２】本発明に係るフィンカバーの第一の実施形態の使用状態を示す斜視図
【図１３】本発明に係るフィンカバーの第二の実施形態の使用状態を示す斜視図
【発明を実施するための形態】
【００１５】  以下、添付図面を参照して本発明に係るフィンカバーの使用実施形態を説明する。各図において同一の符号を付して重複する説明は省略する。図１〜図３にフィンカバーの形状を示す。
【００１６】    図４、５は水上スポーツ用具ボード３０にフィン２０を装着する実施形態を示す。
【００１７】  フィンカバー１１は、水上スポーツ用具ボード３０に取り付けられる着脱可能なフィン２０に装着するフィンカバー１１であって弾性変形可能な素材であり、内部にフィンが挿通可能な穴１２が形成され、水上スポーツ用具ボード３０に取り付けられたフィン２０を外す場合にフィン２０に装着された状態でフィン２０の先端側を引っ張ることでフィン２０が穴の内部１６に食い込む。
【００１８】  フィンカバー１１は、複数種類のフィン２０の形状に対応可能であり、片側に第一湾曲部１２を有し、反対側には第一湾曲部よりも小さい第二湾曲部１３を有し、前記二つの湾曲部を結ぶ第三湾曲部１４を有した波型の形状を有した偏平形状であり、第三湾曲部の反対側にフィンを挿入するための穴の開口１５を有し、フィン２０に装着した状態でフィン本体の外側に２ｍｍ程度の肉厚を有した軟質の塩化ビニールで成形されている。
【００１９】    図３はフィンカバー１１の正面中心を垂直に切断した断面図であり、断面に示す穴の形状は複数種類のフィンを重ねて形成された外形に基づく形状である。
【００２０】    図６はフィンカバー１１を使用しない場合の操作を示す。手のひらで直接フィン２０を叩いて水上スポーツ用具ボード３０のキャビティ３１、３２に装着する。
【００２１】    図８はフィンカバー１１を使用しないでフィン２０を手のひらで叩いて水上スポーツ用具ボードのキャビティ３１、３２から取り外す従来の態様を示す。
【００２１】    図９、図１０はフィン２０にフィンカバー１１の開口部１６に挿通装着する実施形態を示す。
【００２２】    図１１、図１２はフィンカバー１１を装着したフィン２０を水上スポーツ用具ボード３０のキャビティ３１、３２に手のひらで叩いて装着する実施形態を示す。
【００２３】    図１３はフィンカバー１１を装着したフィン２０を水上スポーツ用具ボード３０のキャビティ３１、３２から手のひらで叩いて取り外す実施形態を示す。
【符号の説明】
【００２４】  １１  フィンカバー
１２  第一湾曲部
１３  第二湾曲部
１４  第三湾曲部
１５  フィン挿入穴
１６  フィンカバー穴形状断面
２０  フィン本体
２１  嵌合部１
２２  篏合部２
２３  先端凹部
２４  溝
３０  水上スポーツ用具ボード
３１  キャビティ１
３２  キャビティ２
【図１】
2019182387.tif 000003
【図２】
2019182387.tif 000004
【図３】
2019182387.tif 000005
【図４】
2019182387.tif 000006
【図５】
2019182387.tif 000007
【図６】
2019182387.tif 000008
【図７】
2019182387.tif 000009
【図８】
2019182387.tif 000010
【図９】
2019182387.tif 000011
【図１０】
2019182387.tif 000012
【図１１】
2019182387.tif 000013
【図１２】
2019182387.tif 000014
【図１３】
2019182387.tif 000015